(57)【要約】      （修正有）【課題】汚れや臭いが付きにくい衣類又は調度品、及び酸化チタン付着加工室を提供する。【解決手段】衣類や調度品に酸化チタン加工を施す。酸化チタン付着加工室は、酸化チタン粉の噴霧機及びファンが設けられる。【選択図】図１
0003160295.tif 000002
【実用新案登録請求の範囲】
【請求項１】
酸化チタン加工したことを特徴とする洗濯物。
【請求項２】
洗濯が可能なものに酸化チタン加工したことを特徴とする作業衣。
【請求項３】
洗濯が可能なものに酸化チタン加工したことを特徴とする調度品。
【請求項４】
請求項１・２・３の酸化チタン加工することを特徴とする酸化チタン加工室。
【請求項５】
請求項１・２・３・の製品で酸化チタンの効力を増大させることを特徴とする紫外線放出物を内臓した収納庫。
【考案の詳細な説明】
【技術分野】
【０００１】  本考案は衣類や調度品とその洗濯物に酸化チタン加工仕上げをするもので、その加工室・収納庫である。
【背景技術】
【０００２】  衣類や調度品は汚れがおちくい部分が発生したりする。また洗濯した物でも使用中に消毒したりすることがある。酸化チタン加工仕上げをしておくと使用している時に衣類や調度品は触媒効果で殺菌され汚れは親水性の効果で付きにくく臭いも付着しにくい。また洗濯する時も衣類や調度品に酸化チタン加工してあると汚れも落ちやすく洗濯効果に役立つ。
【考案の概要】
【考案が解決しようとする課題】
【０００３】  洗濯物で工場等の作業着や手袋は汚れやすく汚れが落ちにくい。
病院の医師・看護師・介護士・研究者の白衣は汚れもさることながら多種の菌や臭いが付着しやすい。また食品関係に従事する人や病人・介護を受ける人の場合も同じで移動する時、菌や臭いを拡散させてしまうことがある。その人達の衣類に酸化チタン加工しておくと衣類に付着した菌は殺菌され臭いも消される。また、その人達が移動すると周囲の空気が衣類に触れ酸化チタンの触媒効果で空気は浄化される。調度品も菌におかされたり汚れる。上述品は繰り返し洗濯して使用されるし、洗濯した後も菌や臭いが付着し、汚れたりする。これらの解決に酸化チタン加工するものである。
【課題を解決するための手段】
【０００４】  新品の衣類や調度品または洗濯後の洗濯物の表面に酸化チタン粉を付着させる。付着方法は密閉された付着加工室の中に新品の衣類や調度品また洗濯物を入れ噴霧器にて酸化チタン粉又は、酸化チタン粉水溶液を吹き付ける。その時フアンにて噴霧物を拡散し衣類や調度品の隅々まで入り込む方法とる。または小型噴霧器で加工したり酸化チタン粉水溶液を表面に塗る。付着しにくい物には粘着層を作り付着させる。
【考案の効果】
【０００５】新品の衣類・調度品また洗濯物を酸化チタン加工にて仕上げしておくと触媒効果と親水性の特性があり病院・介護施設・工場・研究所・食品関係等で菌・臭・汚の発生する場所の衣類として着用すれば本人と共に周囲の人にも害を与えず、着衣した人が動くことにより周囲の空気も浄化される役目をはたし健康管理に役立つ。また洗濯する時、酸化チタンの働きにより水洗ですむことが多く洗剤等の経費減につながることもある。この洗濯物は人に限らず、動物の衣類やカーテン等家の調度品やこれに類するものにも適用される。上述品を保管する時、紫外線を発するものをセットした収納場所に入れて置くと、酸化チタンの触媒効果が強化され殺菌・消臭に役立つ。
【図面の簡単な説明】
【０００６】
【図１】酸化チタン粉加工室の平面図である。
【図２】酸化チタン粉加工室の側面図である。
【図３】紫外線を発するもの。ブラックライト設置の収納庫である。
【０００７】  酸化チタン粉の噴射機の数は室内の大きさに応じて斑なく衣類に付着させることができるよう室内の大きさによって数を決め取り付ける。【０００８】  室内ファンは噴霧粉が均等に室内に充満するように数を決め取り付ける。
【考案を実施するための形態】
【０００９】  新品の衣類・調度品・洗濯物へ噴霧する方法では、物の量により噴霧室の大きさを決める。そのなかに余分な水分取った洗濯物をハンガー等にかけて入れ噴霧器で酸化チタン粉又は酸化チタン粉水溶液を吹き付ける。下地として粘着物を付着させておくと加工後の酸化チタンは落ちにくく効力に役立つ。この時噴霧粉・噴霧液をフアン等で拡散させ衣類の隅々まで噴霧が入り込む様にする。または酸化チタン粉水溶液を小型噴霧器でかけたり、刷毛で表面に塗り加工する。最後はアイロン仕上げ、または乾燥させる。
【実施例】
【００１０】  湿気の多い所で保管する時、カビの付着を防ぐのに役立つ。【００１１】  菌や臭いが気になる場所に居る時、着用しておくと安心できる。
【産業上の利用可能性】
【００１２】  上述加工した衣類は、菌・臭いが軽減され、医師・看護師の健康管理に役立つ。【００１３】  入院患者に着用させておけば、本人にプラスに成ると同時に病院内の減菌や消臭に役立つ。【００１４】  介護施設で働く人も、菌や臭いの付着から身を守るのに役立つ。【００１５】  介護施設の入居者に着用させておけば減菌や臭いを消す役割をはたし施設内の菌・悪臭の対応として役立つ。【００１６】  敷布や布団・枕カバーの場合、利用時間が長いので、より効果に役立つ。【００１７】  研究者で菌・臭いに関係することの多い人は、酸化チタン付着加工した作業着は研究者の健康に役立つ。【００１８】  食品衛生に関係する人の作業着は菌・臭い・汚れ等について特に注意しなければならない。
上述化工仕上げは大いに役立つ。
【符号の説明】
【００１９】１．酸化チタン粉付着加工室
２．洗濯物の出し入れ扉
３．酸化チタン粉噴霧機
４．酸化チタン粉の拡散ファン
５．洗濯物
６．酸化チタン粉付着加工室の外面を酸化チタン加工
７．酸化チタン粉の回収口
８．収納庫
９．収納庫扉
１０．収納庫内ブラックライト
【図１】
0003160295.tif 000003
【図２】
0003160295.tif 000004
【図３】
0003160295.tif 000005
【手続補正書】
【提出日】平成22年1月21日(2010.1.21)
【手続補正１】
【補正対象書類名】実用新案登録請求の範囲
【補正対象項目名】全文
【補正方法】変更
【補正の内容】
【実用新案登録請求の範囲】
【請求項１】
洗濯物に酸化チタン加工したことを特徴とする洗濯物。
【請求項２】
洗濯が可能な作業衣に酸化チタン加工したことを特徴とする作業衣。
【請求項３】
洗濯が可能な調度品に酸化チタン加工したことを特徴とする調度品。
【請求項４】
洗濯物，洗濯が可能な作業衣，又は洗濯が可能な調度品に酸化チタン粉付着加工する装置として酸化チタン粉の噴霧機及びファンによる気流の対流効果を生かして均一に付着加工する組合せを特徴とする酸化チタン粉付着加工室。
【請求項５】
請求項１の洗濯物，請求項２の作業衣，又は請求項３の調度品に於いて酸化チタンの触媒効力を強化することを目的として収納庫内に紫外線放射物を内臓したことを特徴とする紫外線内蔵収納庫。
【手続補正書】
【提出日】平成22年3月23日(2010.3.23)
【手続補正１】
【補正対象書類名】実用新案登録請求の範囲
【補正対象項目名】請求項５
【補正方法】変更
【補正の内容】
【請求項５】
請求項１の洗濯物、請求項２の作業衣、又は請求項３の調度品に於いて酸化チタンの触媒効力を強化することを目的として収納庫内に紫外線放射物を内蔵したことを特徴とする紫外線内蔵収納庫。